(57)【特許請求の範囲】
【請求項１】
机本体の上部後端部に、下面側にディスプレイを装着した上蓋の後端部を、ディスプレイが上蓋の下方に収納される水平位置と画面が前方を向く垂直位置との間を、上下方向に回動可能に枢着するとともに、前記上蓋の下方における机本体の上部に、情報入力装置を載置する台板を、上蓋を水平位置としたとき下限に位置し、かつ上蓋を垂直位置としたとき上限の使用位置に保持しうるように昇降可能として設けるとともに、前記台板の後端部に、起立させた上蓋の前面に当接することによりこれを垂直状態に保持する係止部材を設けたことを特徴とするＯＡ機器組込み型机。
【請求項２】
台板と机本体との間に、台板を上向きに付勢する付勢手段を設けた請求項１に記載のＯＡ機器組込み型机。
【請求項３】
付勢手段をガススプリングとし、かつこのガススプリングを、台板が下降するに従って下傾し、同じく上昇するほど起立するように設けた請求項２に記載のＯＡ機器組込み型机。
【請求項４】
机本体に、台板の昇降を案内する案内手段を設けた請求項１ないし３のいずれかに記載のＯＡ機器組込み型机。
【請求項５】
上蓋を水平位置としたときのその上面の高さと、台板を上限位置まで上昇したときにおいて、それに載置された情報入力装置との高さとがほぼ等高をなすようにした請求項１ないし４のいずれかに記載のＯＡ機器組込み型机。
【請求項６】
ディスプレイを、上蓋の下面に角度調整可能に装着した請求項１ないし５のいずれかに記載のＯＡ機器組込み型机。
【発明の詳細な説明】
【０００１】
【発明の属する技術分野】
本発明は、例えば学校の教室やパソコン講習用教室等において使用されるＯＡ機器組込み型机に係り、特に、ＯＡ機器操作用の専用の机と、ＯＡ機器の不使用時には通常の机としても使用することができるようにした机に関する。
【０００２】
【従来の技術】
この種の従来の机としては、例えば特公平６−２２４８６号公報、実開平６−２６５６４号公報、及び実開平６−３８６７８号公報に開示されているものがある。
【０００３】
【発明が解決しようとする課題】
上述した前者（特公平６−２２４８６号公報）の机は、ディスプレイが机の後部に昇降可能として設けられているため、机全体の奥行きが必然的に大きくなり、教室等のように、多くの学生や受講者を対象とする室内の設置する際、その設置数が限られる。
【０００４】
また、ディスプレイが遠くなるため、見にくくなる恐れもある。
【０００５】
後者（実開平６−２６５６４号公報、実開平６−３８６７８号公報）の机は、いずれもパソコン（ディスプレイを含む）が昇降可能に収納される構造とはなっていないため、パソコン使用時のキーボード等の高さと、不使用時に通常の机として使用する場合の天板の高さとに高低差が生じ、パソコンの操作性や不使用時の天板上での作業性にやや難がある。
【０００６】
本発明は、上記問題点を解決するためになされたもので、ディスプレイやキーボード等を机本体の上部に使用可能状態及び不使用状態に設けることにより、机本体の小型化を図るとともに、昇降可能とすることにより、ＯＡ機器の使用時のキーボード等の高さと、不使用時の天板の高さとに高低差が生じるのを防止し、ＯＡ機器の操作性や天板上での作業性を向上することができるようにしたＯＡ機器組込み型机を提供することを目的としている。
【０００７】
【課題を解決するための手段】
上記目的を達成するために、本発明のＯＡ機器組込み型机は、机本体の上部後端部に、下面側にディスプレイを装着した上蓋の後端部を、ディスプレイが上蓋の下方に収納される水平位置と画面が前方を向く垂直位置との間を、上下方向に回動可能に枢着するとともに、前記上蓋の下方における机本体の上部に、情報入力装置を載置する台板を、上蓋を水平位置としたとき下限に位置し、かつ上蓋を垂直位置としたとき上限の使用位置に保持しうるように昇降可能として設けるとともに、前記台板の後端部に、起立させた上蓋の前面に当接することによりこれを垂直状態に保持する係止部材を設けたことを特徴としている。上記構成の本発明によると、上蓋の下面にディスプレイを装着し、上蓋を垂直状態に起立させたとき、ディスプレイが前方を向いて使用可能となり、水平位置まで回動したとき、上蓋の下方にディスプレイが収納されて、上蓋を机の天板として使用しうるようになるため、机の奥行が長くなることはない。また、不使用時には、ディスプレイや情報入力装置が机の本体の上部内に上下に並んで収納されるので、机本体が大型化することもない。また台板を上限位置まで上昇すると、係止部材が自動的に上蓋と当接してその前方への回動を阻止するので、別途、特別な係止手段を設ける必要がない。
【０００８】
上記机において、台板と机本体との間に、台板を上向きに付勢する付勢手段を設けるのが好ましい。
このようにすると、台板を容易に上昇させることができる。
【０００９】
上記机において、付勢手段をガススプリングとし、かつこのガススプリングを、台板が下降するに従って下傾し、同じく上昇するほど起立するように設けるのが好ましい。
このようにすると、台板の下降時の押圧力は小さくて済み、その反対に、上昇するに従って上向き付勢力が増大し、上限位置において台板は安定的に保持される。
【００１０】
上記机において、机本体に、台板の昇降を案内する案内手段を設けるのが好ましい。
このようにすると、台板を安定的に昇降させることができる。
【００１１】
上記机において、上蓋を水平位置としたときのその上面の高さと、台板を上限位置まで上昇したときにおいて、それに載置された情報入力装置との高さとがほぼ等高をなすようにするのが好ましい。
このようにすると、パソコン使用時及び通常の机として使用する際、高低差が生じないので、情報入力装置の操作性や上蓋（天板）上での作業性が向上する。
【００１３】
上記机において、ディスプレイを、上蓋の下面に角度調整可能に装着するのが好ましい。
このようにすると、使用者に応じて、ディスプレイの画面を見易い角度に調整することができる。
【００１４】
【発明の実施の形態】
以下、本発明の実施例を図面に基づいて説明する。
【００１５】
図１ないし図３において、机本体１における４本の脚柱２には、左右の側板３と後面板（以下、方向は図１の左方を前として説明する）４が取付けられ、前方の左右の脚柱２間は開放されている。
【００１６】
左右の脚柱２の下端部には、横杆５が固着され、その上面の左端部には、パソコン本体６が載置されている。
【００１７】
机本体１の後部側の左右の脚柱２間における中央よりもやや上方には、水平の支持杆７の左右端が固着され、そのほぼ中央部には、互いの所定寸法離間する左右１対の案内ロッド８の下端が、支持杆７にボルト止めされた支持金具９により固定されている。各案内ロッド８の上端は、後面板４の上端部に前向きとして固着された支持片１０に、支持金具９をもって固定されている。
【００１８】
上記案内ロッド８には、スライドブロック１１が上下に摺動自在に嵌合され、両スライドブロック１１の前面には、側面視逆Ｌ字形をなす支持板１２の垂直片１２ａがボルト止めされている。
【００１９】
支持板１２の水平片１２ｂの上面には、左右の脚柱２間に挿入可能な左右幅を有する横長矩形状の台板１３が、左右の脚柱２間を昇降可能として取付けられている。
【００２０】
左右の案内ロッド８の中央部における支持杆７の上面には、ガススプリング１４のピストンロッド１４ａの下端が、ブラケット１５を介して枢着され、そのシリンダ１４ｂの上端は、上記支持板１２の前端に固着されたブラケット１５に、ほぼ４５゜前傾させて枢着されている。このように、ガススプリング１４の取付姿勢を傾斜させると、台板１３が上昇するに従って、ガススプリング１４が起立して大きな付勢力が得られ、その反対に台板１３が下降して、ガススプリング１４が水平に近づくほど、その台板１３に対する上向きの付勢力が小さくなり、台板１３の下降が容易となる。
【００２１】
台板１３は、ガススプリング１４のピストンロッド１４ａが最大限伸長したとき（図１の状態）、上限位置、すなわち後記するキーボード１７を操作し易い高さに保持され、また、同じくその前端部下面が、前方の左右の脚柱２の上端部内面に固着したストッパ片２８と当接したとき、下限位置で停止される。また、上限位置において、台板１３は、脚柱２の上端より若干下方に位置している。
【００２２】
１６は、台板１３の前端部下面に固着されたカバー板で、上記案内ロッド８やスライドブロック１１、及びガススプリング１４等の前方を覆うことにより、それらが机本体１の前方より露見することのないようにしてある。台板１３上には、キーボード１７とマウス１８とが載置されている。
【００２３】
後面板４の上端には、机本体１の天板を兼ねる上蓋１９の後端が、蝶番２０により上下に回動可能に取付けられている。上蓋１９は、その左右幅が台板１３とほぼ等寸をなすとともに、前後長は、机本体１の奥行とほぼ等しくしてある。
【００２４】
上蓋１９の前端（図１において上端）には、垂直下向きの閉塞片１９ａが連設され、その下端が、下限に位置している台板１３の上面に当接するまで下向き回動したとき、図２に示すように、上蓋１９の上面は水平となり、机本体１の天板として使用し易い高さに保持される。また、このとき、台板１３と上蓋１９及びこれに取付けられるディスプレイ（後記する）等の重量が、ガススプリング１４の付勢力よりも大となるようにしてある。
【００２５】
上蓋１９の後端には、図１に示すように、上蓋１９をほぼ垂直に回動したとき、後面板４の上端部後面に当接することにより、それ以上の後方への回動を阻止する係止片１９ｂが連設されている。
【００２６】
台板１３の後端部上面には、それが上限位置まで上昇したとき、垂直に起立した上蓋１９の前面下部に当接することにより、上蓋１９の前方への回動を阻止する左右１対のストッパ板２１が固着されている。なお、ストッパ板２１の上端部は半円孤状に形成され、上蓋１９が外周の弧状面と摺接しながら円滑に下向きに回動しうるようになっている。
【００２７】
上蓋１９の前面（下向き回動時において下面）には、ディスプレイ２２の下端（後端）が、双方に取付けたブラケット２３，２４を介して、前後方向に傾動可能として取付けられている。このディスプレイ２２は、上蓋１９を下向きに回動させて閉じたとき、台板１３上のキーボード１７やマウス１８と干渉することのないように取付けられている。ディスプレイ２２は、上記パソコン本体６、キーボード１７及びマウス１８に接続されている。
【００２８】
上蓋１９の閉塞片１９ａの前面の左右両側部には、指掛け用の凹部２５が形成され、閉じられた上蓋１９の上方への回動を容易としてある。２６は、上蓋１９を閉じた状態に保持するロック装置である。
【００２９】
次に、上記実施例のＯＡ機器組込み型机の作用と使用例について説明する。
【００３０】
パソコン使用時は、図２の収納状態から、まずロック装置２６をキーにより解錠したのち、上蓋１９及びそれに取付けられたディスプレイ２２を、凹部２５に指を掛けて上向きに回動し、その後端の係止片１９ｂが後面板４の後面に当接するまで垂直に起立させる。
【００３１】
すると、上蓋１９の荷重が解放されるため、ガススプリング１４を圧縮して下限に位置していた台板１３も、ガススプリング１４の付勢力により上蓋１９の回動と同時に上限位置まで上昇する。この台板１３の上昇時において、その上面に固着したストッパ板２１の上端が、上蓋１９の下面に当接してこれを上向きに押圧するため、上蓋１９の回動が助勢される。
【００３２】
また、台板１３が上限位置まで上昇すると、ストッパ板２１の上端が起立した上蓋１９の前面に当接し、しかも、台板１３の上限位置では、ガススプリング１４の上向付勢力も増大することから、上蓋１９が前方に倒れるのが防止される。
【００３３】
この状態でパソコンは使用可能となり、ディスプレイ２２を見易い角度に調整して、キーボード１７やマウス１８を操作することができる。なお、キーボード１７等の操作時において、多少の下向きの力が加わっても、ガススプリング１４の付勢力により台板１３は上向きに押圧されているので、それが押し下げられることはない。パソコンの不使用時（収納時）は、台板１３を下方に押圧すると共に、上蓋１９を、その前面をストッパ板２１の上端面に摺接させながら下向きに回動させる。
【００３４】
ある程度台板１３が下降すると、ガススプリング１４の付勢力が次第に小さくなるとともに、上蓋１９の閉塞片１９ａの下端が台板１３に当接してその荷重も台板１３に加わるようになるため、上蓋１９を軽く押すだけで台板１３は下降し、下限位置に達すると、手を離しても上昇することはない。これにより、キーボード１７やマウス１８，及びディスプレイ２２は収納され、ロック装置２６を施錠すればよい。
【００３５】
なお、パソコンの不使用時において、上蓋１９の上面は、パソコン使用時のキーボード１７等の操作位置とほぼ同じ高さに水平に保持されるので、通常の机と同様の天板として使うことができる。
【００３６】
以上説明したように、上記実施例のＯＡ機器組込み型机においては、上蓋１９の下面にディスプレイ２２を取付け、上蓋１９を起立させたとき使用可能となり、水平位置まで回動させるとディスプレイ２２が収納されて、上蓋１９を机の天板として使用しうるようにしてあるため、従来の机のように天板の奥行きが長くなってディスプレイが見にくくなるという恐れはなくなる。
【００３７】
しかも、パソコンの不使用時には、キーボード１７やマウス１８及びディスプレイ２２が、机本体１内の上部に上下方向に並んで収納されるので、机本体１を必要最小限の大きさとすることができ、パソコン教室等のように、多くの学生や受講者を対象とする室内に多数設置することができる。
【００３８】
また、キーボード１７等を載置する台板１３を昇降可能として、パソコン使用時にはそれに適した高さまで上昇するようにしているため、キーボード１７等の操作性が向上する。
【００３９】
一方、パソコンの不使用に台板１３を下降させ、上蓋１９を水平位置まで回動させると、その上面が机の天板として使用するに適した高さとなる。従って、従来のように、パソコン使用時のキーボード１７等の高さと、不使用時における上蓋１９の上面の高さとに高低差があまり生じることはなく、使い勝手のよい机となる。
【００４０】
台板１３の上向き付勢手段にガススプリング１４を使用し、これを前傾姿勢で取付けてあるため、台板１３を下降させるほど押圧力は小さくなり、かつ上限位置では付勢力が増大して台板１３の下降が防止される。また、台板１３が上限位置まで上昇すると、その上面に設けたストッパ板２１が上蓋１９の前面に当接して、上蓋１９が前方へ倒れるのを自動的に防止するので、特別な倒れ防止手段を別途設ける必要がない。
【００４１】
さらに、上蓋１９を閉じた状態から上向きに回動させると、ガススプリング１４により常時付勢されている台板１３も、上蓋１９と連動して上昇し、台板１３を上昇させる手間が省ける。
【００４２】
本発明は、上記実施例に限定されるものではなく、種々の実施形態をとり得る。
【００４３】
上記実施例では、台板１３の付勢手段にガススプリング１４を用いているが、例えば図１の想像線で示すように、左右の案内ロッド８に圧縮コイルばね２７を設け、このばね２７の付勢力により台板１３を上昇させるようにしてもよい。
この際、上限位置において台板１３の下方への移動を防止する係止手段を併用するのがよい。
【００４４】
ストッパ板２１を設ける代わりに、後方の脚柱２の上端部等に、起立させた上蓋１９の前方に向かって突出可能な係止杆を設け、この係止杆によって上蓋１９が前方へ倒れるのを防止するようにしてもよく、また、台板１３の後端部に上向きの係止片を連設し、別体としてのストッパ板２１を省略してもよい。
【００４５】
ガススプリング１４を省略し、手動により台板１３を昇降させてもよく、この際には、台板１３を上限位置で固定したり、不使用時にその固定を解除したりする係止手段を設ければよい。
【００４６】
【発明の効果】
本発明によれば、次のような効果が得られる。
【００４７】
（ａ）請求項１に記載の発明によれば、ディスプレイは上蓋の下面に装着され、上蓋の起立時に使用可能状態となるため、従来のように机の奥行きが長くなることはなく、また不使用には、ディスプレイや情報入力装置が机本体内の上部に上下に並んで収納されるので、机本体が大型化する恐れはない。その結果、パソコン教室等の室内に机を多数設置することができる。また台板を上限位置まで上昇すると、係止部材が自動的に上蓋と当接してその前方への回動を阻止するので、別途、特別な係止手段を設ける必要がない。
【００４８】
（ｂ）請求項２に記載の発明によれば、台板を容易に上昇させることができる。
【００４９】
（ｃ）請求項３に記載の発明によれば、台板の下降時の押圧力は小さくて済み、反対に、上昇するに従って上向き付勢力が増大するようになるため、保持手段を別途設けることなく、台板を上限位置において安定的に保持することができる。
【００５０】
（ｄ）請求項４に記載の発明によれば、 台板を安定的に昇降させることができる。
【００５１】
（ｅ）請求項５に記載の発明によれば、情報入力装置の操作性及び通常の机として上蓋を天板代わりに使用する際の作業性が向上する。
【００５３】
（ｆ）請求項６に記載の発明によれば、使用者や使用環境等に応じて、ディスプレイの画面を見易い角度に調整することができる。
【００５４】
【図面の簡単な説明】
【図１】本発明の一実施例におけるパソコン使用時の状態を示す一部切欠側面図である。
【図２】同じく、不使用時の一部切欠側面図である。
【図３】同じく、パソコン使用時の状態を示す正面図である。
【符号の説明】
１              机本体
２              脚柱
３              側板
４              後面板
５              横杆
６              パソコン本体
７              支持杆
８              案内ロッド
９              支持金具
１０            支持片
１１            スライドブロック
１２            支持板
１２ａ          垂直片
１２ｂ          水平片
１３            台板
１４            ガススプリング
１４ａ          ピストンロッド
１４ｂ          シリンダ
１５            ブラケット
１６            カバー板
１７            キーボード（情報入力装置）
１８            マウス
１９            上蓋
１９ａ          閉塞片
１９ｂ          係止片
２０            蝶番
２１            ストッパ板（係止部材）
２２            ディスプレイ
２３，２４      ブラケット
２５            凹部
２６            ロック装置
２７            圧縮コイルばね
２８            ストッパ片
【図１】
0004256001.tif 000002
【図２】
0004256001.tif 000003
【図３】
0004256001.tif 000004